【事件の表示】
　特願２００２−１８２５６５「商品陳列フック用カードホルダー」拒絶査定不服審判事件〔平成１６年　１月２９日出願公開、特開２００４−　２９１８７〕について、次のとおり審決する。
【結　論】
　本件審判の請求は、成り立たない。
【理　由】
１　手続の経緯
　本願は、平成１４年６月２４日の出願であって、平成１９年１月２６日付けで手続補正がなされたが、同年１０月５日付けで拒絶査定がなされ、これに対し、同年１１月１４日に拒絶査定不服審判が請求されるとともに、同年１２月１２日付けで手続補正（以下「本件補正」という。）がなされたものである。
　
２　本件補正についての補正却下の決定
（１）結論
　本件補正を却下する。
　
（２）理由
　ア　本件補正の内容
　本件補正により、特許請求の範囲の請求項１は、
「陳列棚の横棒等に対し前方に突出して装着され、商品を吊り下げるフック棒と、該フック棒の上方に位置しカードホルダーを支持するホルダー棒とを有する商品陳列フックのカードホルダーにおいて、
　カードを差し入れ・取り出し可能に収容するホルダー本体と、前記ホルダー棒の曲折先端部に嵌着される支持部と、該ホルダー本体の背面に突設され該支持部の両側を挟持するように回動可能に該支持部に嵌合される回動支持部と、　を備え、該支持部には、両側に突出する軸部と凸部が設けられ、該回動支持部の内側には、該軸部が嵌合する軸受孔と該凸部が嵌合する複数の凹部が設けられ、該複数の凹部は、該回動支持部が該軸部を支点に予め設定した上傾斜又は下傾斜の角度に回動したとき、該凸部が係合する位置に設けられた上傾斜凹部と下傾斜凹部を含み、前記支持部には、前記ホルダー棒の曲折先端部が嵌着する嵌着縦孔が設けられると共に、該ホルダー棒の水平部が嵌合可能な水平溝と傾斜溝が設けられ、該水平溝と傾斜溝は、該曲折先端部を軸として該支持部を右又は左に回動させて該支持部の該ホルダー棒に対する装着角度を変えたとき、該ホルダー棒の水平部が嵌合される位置に形成されたことを特徴とする商品陳列フック用カードホルダー。」から、
　
「陳列棚の横棒等に対し前方に突出して装着され、商品を吊り下げるフック棒と、該フック棒の上方に位置しカードホルダーを支持するホルダー棒とを有する商品陳列フックの
商品陳列フック用
　カードを差し入れ・取り出し可能に収容する
該カードホルダーの
　前記ホルダー棒の曲折先端部に嵌着される支持部と、
　該ホルダー本体の背面に突設され、該支持部の両側を挟持するように回動可能に該支持部に嵌合される回動支持部と、
　を備え、該支持部には、両側に突出する軸部と凸部が設けられ、該回動支持部の内側には、該軸部が嵌合する軸受孔と該凸部が嵌合する複数の凹部
のみ
　
　イ　本件補正の目的
　本件補正は、カードホルダーの用途を「商品陳列フック用」とするとともに、回動支持部の内側に設けられる部材を「該軸部が嵌合する軸受孔と該凸部が嵌合する複数の凹部」から「該軸部が嵌合する軸受孔と該凸部が嵌合する複数の凹部のみ」へと限定する内容を含むものであるから、平成１８年法律第５５号改正附則第３条第１項によりなお従前の例によるとされる同法による改正前の特許法（以下「平成１８年改正前特許法」という。）第１７条の２第４項第２号に掲げる事項を目的とするものである。
　
　したがって、以下では、本件補正後の請求項１に係る発明（以下「本願補正発明」という。）が特許出願の際独立して特許を受けることができるものであるか（平成１８年改正前特許法第１７条の２第５項において準用する同法１２６条第５項に規定する要件を満たすか。）否かについて検討する。
　
　ウ　独立特許要件について
（ア）本願補正発明について
　本願補正発明は、上記アに補正後の請求項１として記載したとおりのものである。
　
（イ）引用例記載の発明
　原査定の拒絶の理由に引用された特開平７−３３４０９３号公報（以下「引用例１」という。）には、図とともに次の事項が記載されている（下線は審決において付与した。）。
　
　ａ　「【特許請求の範囲】
【請求項１】商品掛具のバ−の先端に取付ける樹脂製の取付部材と、価格を表示する樹脂製の表示板本体とからなり、
前記取付部材は、前記バ−の先端に外嵌する中空構造をなし、垂直に形成した左右の側板部に外側に突出させて前記表示板本体取付け用の枢着突起を設けると共に、該枢着突起の近傍に係止突起を設け、
該枢着突起および係止突起を含む領域を囲うように切り溝を透設することにより、該切り溝に囲われた部分が左右方向に変形可能な構造とし、
一方、前記表示板本体の背面に左右一対の板状ブラケットを垂直に、かつ間隔をあけて突設し、該各ブラケットに枢着穴を設けると共に、該枢着穴を中心とする円周上に３個以上、８個以下の係止穴を設け、
左右の該ブラケットの間に前記取付部材を位置させ、該ブラケットの枢着穴に取付部材の前記枢着突起を弾発的に嵌合させることにより、表示板本体を取付部材に縦方向に回動可能に取付けると共に、前記ブラケットのいずれかの係止穴に取付部材の前記係止突起を弾発的に嵌合させることにより、前記表示板本体を取付部材に所定の回動位置において係止させる構造を有することを特徴とする価格表示板。」
　
　ｂ　「【発明の詳細な説明】
【０００１】
【産業上の利用分野】本発明は、デパートや商店等の売り場において、商品を吊り下げて陳列する商品掛具の先に装着され、商品の価格（品名を付ける場合もある）を表示するための価格表示板に関する。」
　
　ｃ　「【０００２】
【従来の技術】図５は商品掛具に商品を吊り下げて陳列している状態を示す斜視図、図６（Ａ）はその正面図である。図５において、１は売り場に設置される衝立の縦フレーム、２は衝立の水平フレーム、３は商品を吊るすための商品掛具であり、該商品掛具３は、鉄等でなるバー材を曲げて下バー３ｂと上バー３ｃを形成したバーの後端に断面コの字形の取付け部材３ａに溶接してなり、該取付け部材３ａを前記水平フレーム２に着脱自在に、かつ横方向に移動自在に取付け、下バー３ｂに商品４Ａ〜４Ｃを吊り下げ、上バー３ｃの先端に価格表示板５を装着する。
・・・中略・・・
【０００６】
【発明が解決しようとする課題】しかし、従来の価格表示板５は、表示板本体５ｄが別体のもの、あるいは一体のもののいずれも、商品掛具３に装着した時に価格表９が商品掛具３の上バー３ｃの突出方向、すなわち略正面に向けられるため、商品掛具３が高い位置にある場合に価格表９が目線に対して上向きになり、また、低い位置にある場合に目線に対して下向きになる。このため、高い位置あるいは低い位置にある価格表示板５の価格表９が見にくいという問題点があった。
【０００７】本発明は、上記問題点に鑑み、商品掛具の商品吊り下げ用バーの先端に装着される価格表示板において、商品掛具の高さに関わらず価格表が見易くなり、しかもバーに取付た場合には、整然とした外観を与える価格表示板を提供することを目的とする。」
　
　ｄ　「【００１０】
【実施例】図１は本発明による価格表示板の一実施例を示す分解斜視図、図２（Ａ）は該実施例の側面図、同（Ｂ）は（Ａ）のＦ−Ｆ断面図、同（Ｃ）は（Ｂ）のＧ−Ｇ拡大断面図、図３（Ａ）は価格表示板の取付部材を上バー３ｃに取付けた状態を示す側面断面図、図３（Ｂ）、（Ｃ）はそれぞれ（Ａ）のＨ−Ｈ、Ｉ−Ｉ断面図である。図１ないし図３において、６は前記商品掛具３の上バー３ｃの先端に取付ける取付部材であり、該取付部材６は、前記上バー３ｃを上方から押し込んで嵌入するため、下面に開口部６ａを設けた中空構造をなし、左右の側板部６ｂ、６ｂに、外側に突出させて先端部を球状に形成した枢着突起６ｄを設けると共に、該枢着突起６ｄの近傍に該枢着突起６ｄより高さを低く、かつ先端部を球状に形成した係止突起６ｅを設けている。また、該枢着突起６ｄおよび係止突起６ｅを含む領域を囲うように切り溝６ｃを透設することにより、該切り溝６ｃにより囲われた部分６ｉが左右方向に変形可能としている。
【００１１】７は価格表９を挿着するための矩形をなす表示板本体であり、該表示板本体７は、背面に左右一対の板状のブラケット８、８が間隔をあけて突設されている。該各ブラケット８には、前記取付部材６の枢着突起６ｄの径より僅かに大きい径を有する枢着穴８ａが形成されると共に、該枢着穴８ａを中心とする円周上に、前記取付部材６の係止突起６ｅの径より僅かに大きい径を有する４個の係止穴８ｂ〜８ｅが等間隔に形成されている。また、
該表示板本体７の正面側には、矩形をなす透明のカバー１０が、その側辺と下辺を表示板本体７の両端部７ｃ、７ｃおよび下部のガイド７ａに超音波溶着等で固着することにより取付けられ、該カバー１０と表示板本体７との間に価格表９挿着用隙間７ｂが形成されている。
【００１２】図２（Ａ）、（Ｂ）に示すように、価格表示板５Ｅは、表示板本体７の前記ブラケット８、８の間に取付部材６を位置させ、該ブラケット８の枢着穴８ａに取付部材６の枢着突起６ｄを弾発的に嵌合させて表示板本体７を取付部材６に縦方向に回動自在に取付けると共に、ブラケット８の係止穴８ｂ〜８ｅのいずれか（図示は８ｂの場合を示す）に取付部材６の係止突起６ｅを弾発的に嵌合させてなる。図２（Ａ）、（Ｂ）に示すように、該価格表示板５Ｅは、前記取付部材６を該商品掛具３の上バー３ｃの先端に取付けることにより、商品掛具３へ装着される。
そして、図２（Ｂ）、（Ｃ）に示すように前記隙間７ｂに価格表９を差し込む。
・・・中略・・・
【００１４】このように、商品掛具３の高さに応じて価格表示板５の表示板本体７の取付部材６に係止させる角度を変えることにより、図４の側面図に示すように、価格表９を目線に直角をなすように合わせられるので、商品掛具３の高さにかかわらず価格表９を見易くすることができる。また、表示板本体７は取付部材６に設定角度で弾発的に係止されるので、角度のずれが防止され、同一水平フレーム２上の複数の価格表示板の表示板本体７の角度を一定に揃えることができ、外観を向上させることができる。」
　
　ｅ　「【００１６】・・・なお、前記上バー３ｃの先端は、約４５度等数十度の曲がり角度を有するものの他に、
図３（Ｄ）の側面断面図に示すように、約９０度の曲がり角度を有する物があり、この場合には、前記取付部材６の上板部６ｇに形成された穴６ｆ（図１参照）にバー３ｃの先端を嵌合させる
【００１７】上記実施例においては、係止突起６ｅに嵌合する係止穴として８ｂ〜８ｅの４個を設けた例について示したが、表示板本体７の取り得る角度として、図２（Ａ）のハに示す角度を除いてもよく、この場合には３個の係止穴を設ければよい。また、より細かい向きの設定を行うためには、係止穴を５個ないし８個としてもよい。また、
枢着穴８ａや係止穴８ｂ（ここで、引用例１では「８ａ」と表記されているが「８ｂ」の誤記であることが明らかであるので、審決では「８ｂ」と表記した。）〜８ｅはめくら穴としてもよい。
　
　ｆ　図１、図３（Ｄ）及び上記ｅ（特に下線部）から、次のことがいえる。
　（ａ）取付部材６の上板部６ｇに形成された穴６ｆに、上バー３ｃの約９０度の曲がり角度を有する縦方向に延在する先端が嵌合されていること。
　（ｂ）ブラケット８の内側には、枢着穴８ａ及び係止穴８ｂ〜８ｅが設けられており、該係止穴はめくら穴としてもよいこと。
　（ｃ）ブラケット８の内側には、枢着穴８ａと係止穴８ｂ〜８ｅのみが設けられていること。
　
　ｇ　上記ｄ（特に下線部）によれば、表示板本体７は、価格表が差し込まれる価格表９装着用隙間７ｂが形成されたものと認められる。
　
　ｈ　図５及び図６は、商品掛具に商品を吊り下げかつ従来の価格表示板を取り付けて陳列している状態を示しており、図１に記載された価格表示板は、図５及び図６の価格表示板を改良したものであることから、次のことがいえる。
　（ａ）価格表示板は、商品陳列用であり、衝立の水平フレームに対して前方に突出して装着されること。
　（ｂ）該商品掛具は売り場にて複数が併設して用いられること。
　
　ｉ　図２（Ａ）から、ブラケット８には、係止穴８ｄ及び８ｃが、該ブラケット８が枢着突起６ｄを支点に上又は下の角度に回動したときに、それぞれ係止突起６ｅが係合する位置に設けられてなる構造が見て取れる。
　
　上記ａないしｉを総合すれば、引用例１には次の発明（以下「引用発明１」という。）が記載されていると認められる。
　
「商品を吊るすための商品掛具が、鉄等でなるバー材を曲げて下バーと上バーを形成したバーの後端に断面コの字形の取付け部材に溶接してなり、該取付け部材を売り場に設置される衝立の水平フレームに着脱自在に、かつ横方向に移動自在に、該水平フレームに対して前方に突出して取付けられ、さらに、該商品掛具は前記売り場にて複数が併設して用いられるものであるところ、
　前記下バーに商品を吊り下げ、該上バーの先端に装着してなる従来の価格表示板では、前記商品掛具が高い位置にある場合に価格表が目線に対して上向きになり、また、低い位置にある場合に目線に対して下向きになるため、高い位置あるいは低い位置にある価格表示板の価格表が見にくいという問題点に鑑み、前記商品掛具の高さに関わらず価格表が見易くなる価格表示板を提供することを目的とする、商品陳列用の価格表示板において、
　前記商品掛具の前記上バーの先端に取付ける樹脂製の取付部材と、価格表が差し込まれる価格表装着用隙間が形成されてなる表示板本体とからなり、
　前記取付部材は、上板部に形成された穴に、前記上バーの約９０度の曲がり角度を有する縦方向に延在する先端を嵌合させ、垂直に形成した左右の側板部に外側に突出させて前記表示板本体取付け用の枢着突起を設けると共に、該枢着突起の近傍に係止突起を設け、該枢着突起および係止突起を含む領域を囲うように切り溝を透設することにより、該切り溝に囲われた部分が左右方向に変形可能な構造とし、
　一方、前記表示板本体の背面に左右一対の板状ブラケットを垂直に、かつ間隔をあけて突設し、該各ブラケットに枢着穴を設けると共に、該枢着穴を中心とする円周上に３個以上、８個以下のめくら穴を設け、さらに各ブラケットの内側には該枢着穴と該めくら穴のみが設けられており、
　左右の前記ブラケットの間に前記取付部材を位置させ、前記ブラケットの前記枢着穴に前記取付部材の前記枢着突起を弾発的に嵌合させることにより、前記表示板本体を前記取付部材に縦方向に回動可能に取付けると共に、前記ブラケットのいずれかのめくら穴に前記取付部材の前記係止突起を弾発的に嵌合させることにより、前記表示板本体を前記取付部材に所定の回動位置において係止させる構造、すなわち、前記ブラケットには、前記めくら穴８ｄおよび８ｃが、前記ブラケットが前記枢着突起を支点に上又は下の角度に回動したときに、それぞれ係止突起が係合する位置に設けられてなる構造を有する価格表示板。」
　
　また、原査定の拒絶の理由に引用された特開２００１−８８００号公報（以下「引用例２」という。）には、図とともに次の事項が記載されている。
　
　ａ　「【０００１】
【発明の属する技術分野】本発明は、既存の商品陳列用フックハンガーに装着することにより、このフックハンガーに吊り下げた商品の種別や値段を表示する商品表示板を取り付けるようにしたフックハンガー用アダプターに関するものである。」
　
　ｂ　「【００２０】ここで、本発明によるフックハンガー用アダプター１について説明すると、図１に示すように、アダプター本体４は、フックハンガー２のフック３を回動自在に挿着する上部孔１７が形成されている本体前部１８と該本体前部１８の下端にてフックハンガー２の折曲部近傍１４を下方から支持する下部片３２と本体前部１８に連設されてフックハンガー２の横棒部２ａを上方から弾性的に支持する本体後部１９とからなり、本体後部１９の周部下辺にはアダプター本体４をフックハンガー２のフック３の周りに回動したときの該フックハンガー２の横棒部２ａを係止する複数の係止溝２２ａ、２２ｂ…が形成されている。
・・・中略・・・
【００２３】また、図４に示すように本体前部１８の上部孔１７にはフックハンガー２のフック３が挿着され、フックハンガー２を左右の方向に回動可能としている。
【００２４】さらに、図５(e) に示すように、本体前部１８の下端にはフックハンガー２の折曲部近傍１４を下方から支持する弾性を有する下部片３２が後方に向けて突出され、図５(d) 及び(e) に示すように、本体後部１９の下辺にはフックハンガー２の横棒部２ａを係止する係止溝２２ａ、２２ｂ…が中央と左右に均等な角度で合計３か所に形成されている。
【００２５】また、図５(c) に示すように、本体後部１９は本体前部１８の上面から後方に下る勾配面を有して形成されると共に本体前部１８と本体後部１９との間には図２に示す空隙２３が形成されている。
【００２６】本実施例において、上記の係止溝２２ａ、２２ｂ…は本体後部１９の周部下辺の中央に設けられた係止溝２２ａとその左右に形成された係止溝２２ｂ、２２ｃの合計３個である。これらの係止溝２２ａ、２２ｂ…は、後述するように商品表示板６を正面方向と左右の斜め方向に変向させるために合計３個設けることが通常の構成となるが、本発明はこの数に限定されるものではない。」
　
　ｃ　「【００３２】・・・この商品表示板を正面方向に向けるだけでなく、左右いずれかの斜め方向に変向させて商品表示板の設置幅を狭めることができるため、併設されたフックハンガーの隣接間隔を狭くすることができ、限られたスペースにより多くの商品を陳列することが可能となる。」
　
　ｄ　図１、図４及び上記ｂから、フックハンガー２の先端部であるフック３を軸として、アダプター本体４が回動自在に挿着されていると認められる。
　
　上記ａないしｄによれば、引用例２には次の発明（以下「引用発明２」という。）が記載されていると認められる。
　
「商品陳列用フックハンガー用アダプターにおいて、
本体前部の上部孔には、フックハンガーの先端部であるフック３が回動自在に挿着されるとともに、
本体後部の周部下辺にはアダプター本体をフックハンガーの先端部であるフックを軸として回動したときの該フックハンガーの横棒部を係止する複数の係止溝２２ａ、２２ｂ、２２ｃが形成され、これにより、商品の種別や値段を表示する商品表示板を正面方向に向けるだけでなく、左右いずれかの斜め方向に変向させて商品表示板の設置幅を狭めることができるため、併設されたフックハンガーの隣接間隔を狭くすることができ、限られたスペースにより多くの商品を陳列することが可能となった商品陳列用フックハンガー用アダプター。」
　
（ウ）対比
　本願補正発明と引用発明１とを以下に対比する。
　ａ　引用発明１の「下バー」には、商品が吊り下げられるから、前記「下バー」が本願補正発明の「フック棒」に相当し、引用発明１の「上バー」の先端には価格表示板が装着されるのであるから、前記「上バー」が本願補正発明の「ホルダー棒」に相当する。
　また、引用発明１における「『上バー』の『約９０度の曲がり角度を有する縦方向に延在する先端』」が、本願補正発明の「ホルダー棒の曲折先端部」に相当することは明らかである。
　
　ｂ　引用発明１の「価格表」、「表示板本体」及び「前方に突出して装着され」は、それぞれ本願補正発明の「カード」、「ホルダー本体」及び「前方に突出して取付けられ」に相当する。
　そして、引用発明１の「表示板本体」は「価格表」が差し込まれる価格表装着用隙間が形成されているのであるから、引用発明１が、本願補正発明の「カードを差し入れ・取り出し可能に収容する該カードホルダーのホルダー本体」を備えていることは明らかである。
　
　ｃ　引用発明１の「商品掛具」は、「バー材を曲げて下バーと上バーを形成したバーの後端に断面コの字形の取付け部材に溶接してなり、該取付け部材を売り場に設置される衝立の水平フレームに着脱自在に、かつ横方向に移動自在に取付けられ」るとともに、該上バーの先端には、商品陳列用の価格表示板が装着され、該下バーには商品が吊り下げられるのであるから、上記ａを併せて考慮すれば、引用発明１は、本願補正発明の「商品を吊り下げるフック棒と、該フック棒の上方に位置しカードホルダーを支持するホルダー棒とを有する商品陳列フックの商品陳列フック用カードホルダー」を備えているといえる。
　
　ｄ　引用発明１の「取付部材」が、「上バーの約９０度の曲がり角度を有する縦方向に延在する先端を嵌合させ」られ、「ブラケット」を介して、「表示板本体を・・・回動可能に取付ける」ものであるところ、本願補正発明の「支持部」は、「ホルダー棒の曲折先端部に嵌着」され、「ホルダー本体の背面に突設され、該支持部の両側を挟持するように回動可能に・・・嵌合される回動支持部」を介して、「ホルダー本体」を回動可能に支持するものであるから、上記ｂ及びｃを踏まえれば、引用発明１の「取付部材」が、本願補正発明の「支持部」に相当することは明らかである。
　さらに、両者の具体的な構造を対比すると、次のことがいえる。
　
　（ａ）引用発明１の「取付部材」に設けられた「枢着突起」及び「係止突起」は、本願補正発明の「支持部」に設けられた「軸部」及び「凸部」にそれぞれ相当するから、引用発明１は、本願補正発明の「支持部には、両側に突出する軸部と凸部が設けられ」との構成を備えていること。
　
　（ｂ）引用発明１の「取付部材」の上板部に形成された「穴」には、「上バーの約９０度の曲がり角度を有する縦方向に延在する先端」が「嵌合」されるのであるから、上記ａを踏まえれば、引用発明１の「穴」が、本願補正発明の「嵌着縦孔」に相当し、引用発明１が、本願補正発明の「ホルダー棒の曲折先端部に嵌着される支持部」及び「前記支持部には、前記ホルダー棒の曲折先端部が嵌着する嵌着縦孔が設けられる」との構成を備えていること。
　
　ｅ　引用発明１の「ブラケット」が、「表示板本体の背面に・・・突設」されたものであるところ、本願補正発明の「回動支持部」は、「ホルダー本体の背面に突設され」たものであるから、上記ｂを踏まえれば、引用発明の「ブラケット」が、本願補正発明の「回動支持部」に相当することは明らかである。
　さらに、上記ｄを前提に、両者の具体的な構造及び機能を対比すれば、以下のことがいえる。
　
　（ａ）引用発明１の「ブラケット」における「枢着穴」は、「取付部材」の「枢着突起」が「嵌合」される箇所であるところ、本願補正発明の「回動支持部」における「軸受孔」は、「支持部」の「軸部」が「嵌合」される箇所であることから、引用発明１の「枢着穴」は、本願補正発明の「軸受孔」に相当する。
　
　（ｂ）引用発明１の「ブラケット」における「めくら穴」は、「凹部」の一種であり、「ブラケットの内側に」設けられ、「取付部材」の「係止突起」が「嵌合」される箇所であるところ、本願補正発明の「回動支持部」に設けられた「複数の凹部」は、「回動支持部の内側に」設けられ、「支持部」の「凸部」が「嵌合」される箇所であるから、引用発明１の「３個以上、８個以下のめくら穴」は、本願補正発明の「複数の凹部」に相当する。
　また、引用発明１の「３個以上、８個以下のめくら穴」は、「ブラケットが前記枢着突起を支点に上又は下の角度に回動したときに、それぞれ係止突起が係合する位置に設けられ」た「めくら穴８ｄおよび８ｃ」を含むのであるから、引用発明１と、本願補正発明とは、「複数の凹部」に関して、「回動支持部が該軸部を支点に予め設定した上傾斜又は下傾斜の角度に回動したとき、該凸部が係合するそれぞれの位置に設けられた一方の凹部と他方の凹部とを含む」点で一致している。
　
　（ｃ）引用発明１の「ブラケット」は、「表示板本体の背面に左右一対」「間隔をあけて突設」されており、引用発明１は「各ブラケットに枢着穴を設けると共に、該枢着穴を中心とする円周上に３個以上、８個以下のめくら穴を設け、左右の前記ブラケットの間に前記取付部材を位置させ、前記ブラケットの前記枢着穴に前記取付部材の前記枢着突起を弾発的に嵌合させることにより、前記表示板本体を前記取付部材に縦方向に回動可能に取付ける」との事項を有しているから、引用発明１は、本願補正発明の「ホルダー本体の背面に突設され、該支持部の両側を挟持するように回動可能に該支持部に嵌合される回動支持部」を具備しているといえる。
　
　（ｄ）上記（ａ）及び（ｂ）に照らせば、引用発明１の「ブラケットの内側には該枢着穴と該めくら穴のみが設けられており」は、本願補正発明の「回動支持部の内側には、該軸部が嵌合する軸受孔と該凸部が嵌合する複数の凹部のみが設けられ」に相当する。
　
　以上ａないしｅによれば、本願補正発明と引用発明１は、
「前方に突出して装着され、商品を吊り下げるフック棒と、該フック棒の上方に位置しカードホルダーを支持するホルダー棒とを有する商品陳列フックの商品陳列フック用カードホルダーにおいて、
　カードを差し入れ・取り出し可能に収容する該カードホルダーのホルダー本体と、
　前記ホルダー棒の曲折先端部に嵌着される支持部と、
　該ホルダー本体の背面に突設され、該支持部の両側を挟持するように回動可能に該支持部に嵌合される回動支持部とを備え、
　該支持部には、両側に突出する軸部と凸部が設けられ、
　該回動支持部の内側には、該軸部が嵌合する軸受孔と該凸部が嵌合する複数の凹部のみが設けられ、
　該複数の凹部は、該回動支持部が該軸部を支点に予め設定した上傾斜又は下傾斜の角度に回動したとき、該凸部が係合するそれぞれの位置に設けられた一方の凹部と他方の凹部とを含み、
　前記支持部には、前記ホルダー棒の曲折先端部が嵌着する嵌着縦孔が設けられてなる商品陳列フック用カードホルダー。」である点で一致し、次の点で相違する。
　
[相違点１]
　商品陳列フックが、本願補正発明では、陳列棚の横棒等に対して装着されるのに対して、引用発明１では、売り場に設置される衝立の水平フレームに対して装着される点。
　
[相違点２］
　回動支持部が該軸部を支点に予め設定した上傾斜又は下傾斜の角度に回動したとき、凸部が係合する位置にそれぞれ設けられた一方の凹部と他方の凹部が、本願補正発明では、上傾斜凹部と下傾斜凹部であるのに対して、引用発明１では、上傾斜凹部と下傾斜凹部であるのか明らかでない点。
　
[相違点３］
　本願補正発明の「支持部」が、「ホルダー棒の水平部が嵌合可能な水平溝と傾斜溝が設けられ、該水平溝と傾斜溝は、該曲折先端部を軸として該支持部を右又は左に回動させて該支持部の該ホルダー棒に対する装着角度を変えたとき、該ホルダー棒の水平部が嵌合される位置に形成された」との構成（以下「構成Ａ」という。）を備えているのに対して、引用発明１の「支持部」は構成Ａを備えていない点。
　
（エ）判断
　上記相違点１ないし３について検討する。
[相違点１について]
　商品陳列フックを、陳列棚（台）における水平方向のフックバー（ガイドレール）に装着すること（本願補正発明の「陳列棚の横棒」に相当。）は本願出願前の周知技術であるから（必要ならば、特開２００１−８８００号公報（図６のコ字形金具１３及び段落【００１５】参照。）及び特開２００１−１８８４７０号公報（図３又は図６、及び段落【０００９】参照。）を参照。）、引用発明１の「衝立の水平フレーム」として、上記周知の「陳列棚の横棒」を選択し、相違点１の構成に想到することは当業者が容易になし得たことである。
　
[相違点２について]
　ａ　本願補正発明の「上傾斜凹部」及び「下傾斜凹部」の具体的な構造について検討するに、本件補正後の本願明細書（以下「本願補正明細書」という。）には、「上傾斜凹部」及び「下傾斜凹部」に関し、以下の記載がある。
　
（ａ）「回動支持部の両内側には傾斜角度の異なる複数の凹部が設けられ、（該）支持部の凸部と（該）複数の凹部との嵌合を変えて、該支持部に対する（該）回動支持部の角度を上下に変更する」（請求項３及び【０００７】、ただし、括弧内の記載は請求項３にのみ存在する。）
　
（ｂ）「【００１６】さらに、凹部１０，１１の上方には上傾斜凹部１２、１３が凹部１０、１１に対して上に傾斜して設けられ、凹部１０、１１の下方には下傾斜凹部１４，１５が下に傾斜して設けられる。この上傾斜凹部１２，１３および下傾斜凹部１４，１５は凹部１０、１１と同様、支持部２０の両側の凸部２３，２４が、この回動支持部６，７つまりカードホルダー１の上または下への所定角度の回動時に嵌合する。」
　
（ｃ）「【００２０】・・・カードホルダー１の上への回動時、ホルダー本体５の回動支持部６，７の凹部１０，１１に嵌った支持部２０の凸部２３，２４は、そこから縁部を乗り越えて下傾斜凹部１４，１５に嵌入し、上向きの状態で保持される。また、カードホルダー１の下への回動時、ホルダー本体５の回動支持部６，７の凹部１０，１１に嵌った支持部２０の凸部２３，２４は、そこから縁部を乗り越えて上傾斜凹部１２，１３に嵌入し、下向きの状態で保持される。
【００２１】
このように、商品陳列フックのカードホルダー１は、凸部２３，２４と凹部１０、１１、凸部２３，２４と上傾斜凹部１２，１３または下傾斜凹部１４，１５との嵌合により、垂直姿勢から上向き或いは下向きの状態に、節度感をもってその上下の向きを簡単に変えることができる。」
　
　ｂ　上記（ａ）ないし（ｃ）の記載によれば、本願補正発明の「上傾斜凹部」及び「下傾斜凹部」は、カードホルダーを垂直姿勢から上向きあるいは下向きの状態に上下の向きを変えることができるように、垂直姿勢を与える凹部１０、１１に対して上方あるいは下方に傾斜して設けられた凹部を意味するものと認められるにとどまり、請求人が平成１９年１２月１２日付け手続補正書の第４頁において主張する「回動支持部側の軸受孔から放射状にのびる」ものに特定して解することはできない。
　
　ｃ　そして、引用発明１において、回動支持部を上傾斜又は下傾斜の角度に回動したときに、当該回動支持部を位置決めするための「一方の凹部」及び「他方の凹部」を、本願補正発明のように、垂直姿勢を与える凹部に対して上方あるいは下方に傾斜して設け、相違点２に係る「上傾斜凹部」及び「下傾斜凹部」との構成となすことは、当業者が設計上適宜なし得る単なる形状の変更にすぎない。
　
[相違点３について]
　ａ　引用発明２の「フックハンガー」及び「アダプター」は、それぞれ引用発明１の「商品掛具」及び「取付部材」に相当し、引用発明１と引用発明２とは、商品の価格等を表示する表示板を支持する商品陳列フック用カードホルダーである点及び前記カードホルダーは売り場等で複数併設して使用される点において共通する。
　
　ｂ　したがって、引用発明１においても、引用発明２と同様、限られたスペースにより多くの商品を陳列するという課題は十分想定し得ることであるから、当該課題を解決するために、引用発明２の「本体後部の周部下辺にはアダプター本体をフックハンガーの先端部であるフックを軸として回動したときの該フックハンガーの横棒部を係止する複数の係止溝２２ａ、２２ｂ、２２ｃが形成され」との構成（以下「構成Ｂ」という。）を採用することは当業者が容易になし得たことである。
　
　ｃ　ここで、本相違点に係る構成について、本願補正発明と引用発明２とを対比すると、以下のとおりである。
　
　（ａ）引用発明２の「フックハンガーの横棒部」、「フックハンガーの先端部」、「係止溝２２ａ」及び「『係止溝２２ｂ』及び『係止溝２２ｃ』」は、それぞれ本願補正発明の「ホルダー棒の水平部」、「ホルダー棒の曲折先端部」、「水平溝」及び「傾斜溝」に相当する。
　
　（ｂ）引用発明２の「『本体前部』及び『本体後部』」、すなわち、「アダプター本体」は、本願補正発明の「支持部」に相当する。
　
　（ｃ）引用発明２の「係止溝２２ａ、２２ｂ、２２ｃ」は、アダプター本体をフックハンガーの先端部であるフックを軸として回動したとき、すなわち、該アダプター本体の該フックハンガーに対する装着角度を変えたときに、該フックハンガーの横棒部を係止する複数の溝であるから、引用発明２の構成Ｂは、本願補正発明の構成Ａに相当するといえる。
　
　ｄ　そうすると、上記ｂにおいて、引用発明２から採用する構成Ｂが、本願補正発明の構成Ａに相当するのであるから（上記ｃ（ｃ）参照。）、引用発明１において、構成Ａ、すなわち、相違点３に係る構成を採用することは当業者が容易になし得たことである。
　
　そして、本願補正発明の奏する効果についてみても、引用例１ないし２及び周知技術から、当業者が予測できる範囲を超えるほどの格別顕著なものとは認められない。
　
　よって、本願補正発明は、引用例１ないし２に記載された発明及び周知技術に基づいて、当業者が容易に発明をすることができたものであるから、特許出願の際独立して特許を受けることができないものである。
　
（オ）むすび
　以上のとおり、本件補正は、平成１８年改正前特許法第１７条の２第５項において準用する同法第１２６条第５項の規定に違反するものであるから、同法第１５９条第１項の規定において読み替えて準用する同法第５３条第１項の規定により却下すべきものである。
　
（３）付言
　なお、本件補正は、回動支持部の内側に設けられる部材を「該軸部が嵌合する軸受孔と該凸部が嵌合する複数の凹部」から「該軸部が嵌合する軸受孔と該凸部が嵌合する複数の凹部のみ」へと限定する内容を含むものであるが、仮に、当該限定を、本願補正発明の「支持部」に、引用発明１の「切り溝」に相当する構成を設けないものに限定する趣旨と解したとしても、以下に検討するとおり、本願補正発明は特許出願の際独立して特許を受けることができないものであるから、本件補正を認める余地はない。
　以下では、「のみ」を上記のとおり解した場合の本件補正後の請求項１に係る発明を「本願補正発明２」という。
　
　ア　対比
　本願補正発明２と引用発明１とを対比する。
　本願補正発明２は、本件補正発明に、支持部に切り溝が設けられていないとの限定を付加したものに相当するから、本願補正発明２と引用発明１とは、上記（２）ウに示した相違点に加えて、次の点で相違する。
　
[相違点４]
　本願補正発明２では、支持部に切り溝が設けられていないのに対して、引用発明では、支持部（取付部材）に切り溝が設けられている点。
　
　イ　判断
　相違点４について検討する。
　本願補正発明２及び引用発明１とは、カードホルダーの向きを上下方向に変更する機構として、支持部（取付部材）に設けられた１つの突起と、回動支持部の内側に設けられた複数の凹部との嵌合位置を変更する点において共通しているが、およそ、このような機構において嵌合位置を変更する際には、突起又は凹部が設けられたいずれか一方の部材、すなわち、支持部か回動支持部のいずれか一方を一時的に撓ませる必要があることは当業者に自明である。
　そして、実願昭４７−１３４６１１号（実開昭４９−９４５９５号参照）のマイクロフィルム（特に、明細書の第４頁８行〜１２行及び第１図における切り溝が設けられていない平板１９（本願補正発明２の「支持部」に相当。）及び弾力で撓む頭部６（本願補正発明２の「回動支持部」に相当。）には、上記機構として、切り溝を設けない構成のものが記載されているから、引用発明１において、相違点４に係る「支持部に切り溝を設けない」との構成とすることに格別の困難はない。
　
　ウ　むすび
　以上の検討によれば、本願補正発明２は、引用例１ないし２に記載された発明及び周知技術に基づいて、当業者が容易に発明をすることができたものであるから、特許出願の際独立して特許を受けることができないものである。
　
３　本願発明について
（１）本願発明
　本件補正は、上記２のとおり却下されたので、本願の請求項１に係る発明（以下「本願発明」という。）は、平成１９年１月２６日付けの手続補正により補正された特許請求の範囲の請求項１、すなわち、上記２（２）アにおいて補正前の請求項１として記載したとおりのものである。
　
（２）引用例
　原査定の拒絶の理由で引用された引用例１ないし２及びその記載事項は、上記２（２）ウ（イ）に記載したとおりである。
　
（３）対比・判断
　本願発明は、実質的にみて、本願補正発明における、カードホルダーの用途に関する「商品陳列フック用」との限定、及び回動支持部の内側に設けられる部材に関する「該軸部が嵌合する軸受孔と該凸部が嵌合する複数の凹部のみ」との限定を削除したものである。
　そうすると、本願発明の構成要件を全て含み、さらに上記限定を付したものに相当する本願補正発明が、上記２（２）ウに記載したとおり、引用例１ないし２に記載された発明及び周知技術に基づいて、当業者が容易に発明をすることができたものであるから、本願発明も、同様の理由により、引用例１ないし２に記載された発明及び周知技術に基づいて、当業者が容易に発明をすることができたものである。
　
（４）むすび
　以上のとおり、本願発明は、引用例１ないし２に記載された発明及び周知技術に基づいて、当業者が容易に発明をすることができたものであるから、特許法第２９条第２項の規定により特許を受けることができない。
　よって、結論のとおり審決する。